(57)【要約】【課題】照明系のフレアが原因となる読み取り画像の副走査方向に発生する白スジなどの画像不良を防ぐことのできる画像読取装置を提供する。【解決手段】原稿の画像を読み取るラインイメージセンサ１０２に対向して透明のシート材２０３、原稿１０１および白色部材１０３が順次配置される画像読取装置であって、制御手段は、センサ移動手段でラインイメージセンサを所定の位置に移動させ、原稿搬送手段でテスト原稿を搬送させてテスト原稿の画像を読み取る動作を、位置を変えて複数回繰り返し、各位置で読み取ったテスト原稿の画像濃度情報にもとづいて、ラインイメージセンサの適正な読み取り位置を判定し、その適正な読み取り位置を記憶し、実際に原稿の画像を読み取る際に、ラインイメージセンサを前記適正な読み取り位置に配置した後、原稿搬送手段で原稿を搬送して前記ラインイメージセンサにより原稿を読み取るように制御する画像読取装置。【選択図】図２
2009038638.tif 000002
【特許請求の範囲】
【請求項１】
原稿の画像を読み取るラインイメージセンサに対向して透明のシート材、原稿および白色部材が順次配置される画像読取装置であって、
原稿を副走査方向に搬送させる原稿搬送手段と、
前記ラインイメージセンサを副走査方向に移動させるセンサ移動手段と、
制御手段と、
を備え、
前記制御手段は、前記センサ移動手段で前記ラインイメージセンサを所定の位置に移動させ、前記原稿搬送手段でテスト原稿を搬送させて前記テスト原稿の画像を読み取る動作を、位置を変えて複数回繰り返し、各位置で読み取った前記テスト原稿の画像濃度情報にもとづいて、前記ラインイメージセンサの適正な読み取り位置を判定し、その適正な読み取り位置を記憶し、実際に原稿の画像を読み取る際に、前記ラインイメージセンサを記憶している前記適正な読み取り位置に配置した後、前記原稿搬送手段で原稿を搬送して前記ラインイメージセンサにより原稿を読み取るように制御することを特徴とする画像読取装置。
【請求項２】
請求項１に記載の画像読取装置において、
前記テスト原稿は、濃度が均一なチャートを有することを特徴とする画像読取装置。
【請求項３】
請求項２に記載の画像読取装置において、
前記制御手段は、前記各位置で読み取った前記テスト原稿の画像濃度情報にもとづいて、画像の平均濃度が最も大きくて、画像の濃度の偏差の最も小さい読み取り位置を、前記ラインイメージセンサの適正な読み取り位置と判定することを特徴とする画像読取装置。
【発明の詳細な説明】
【技術分野】
【０００１】
本発明は、画像読取装置に関し、特にその適正な原稿読取位置の判定に関するものである。
【背景技術】
【０００２】
従来、原稿送り手段により原稿を副走査方向に送って画像読取部に搬送し、この原稿に対して画像読取手段を相対的に移動させて当該原稿の画像データを得る画像読取装置がある。前記原稿の画像データにもとづき、前記画像読取部に設定された原稿読取基準位置と前記原稿送り手段による原稿の搬送位置との位置ずれ量を検出し、検出された位置ずれ量を表示する。このようにして操作者による位置ずれの調整が容易に行えるようにした画像読取装置が提案されている（特許文献１）。
【０００３】
しかし、読み取り系の相対的な光学配置バラツキ（導光体角度・位置、レンズ位置、センサ位置等）が原因となる照明系の迷光による読み取り不良（副走査方向の白スジ）に対しては効果がなかった。
【０００４】
また、画像読取素子と対向する位置に配置された搬送ローラの反射光を利用して、原稿を通紙せず、自動的にロッドレンズアレイとフォトレンズセンサの位置ずれに起因する画像読取不良を補正することができる画像読取装置が提案されている（特許文献２）。
【０００５】
しかし、読み取り系の相対的な光学配置バラツキ（導光体角度・位置、レンズ位置、センサ位置等）が原因となる照明系の迷光による読み取り不良（副走査方向の白スジ）に対しては効果がなかった。
【特許文献１】特開平９−２８９５６９号公報
【特許文献２】特開２００１−９４７２３号公報
【発明の開示】
【発明が解決しようとする課題】
【０００６】
前述のように、従来例では、読み取り系の相対的な光学配置バラツキ（導光体角度・位置、レンズ位置、センサ位置等）が原因となる照明系の迷光による読み取り不良たとえば副走査方向の白スジに対しては効果がなかった。
【０００７】
また、画像を読み取る読み取りデバイスに対向する面に透明のシート材を挟んで白色の部材（以下白色部材という）が配置されている画像読取装置がある。この装置では、特に、導光体から垂直方向に出ている位置決めピンや漏れ光などの迷光成分が読み取り画像に直接影響を及ぼすので、副走査方向への画像劣化は避けられなかった。
【０００８】
本発明は、このような状況のもとでなされたもので、照明系の迷光による読み取り不良が起きにくい画像読取装置を提供することを課題とするものである。
【課題を解決するための手段】
【０００９】
前記課題を解決するために、本発明では、画像読取装置を次の（１）のとおりに構成する。
【００１０】
（１）原稿の画像を読み取るラインイメージセンサに対向して透明のシート材、原稿および白色部材が順次配置される画像読取装置であって、
原稿を副走査方向に搬送させる原稿搬送手段と、
前記ラインイメージセンサを副走査方向に移動させるセンサ移動手段と、
制御手段と、
を備え、
前記制御手段は、前記センサ移動手段で前記ラインイメージセンサを所定の位置に移動させ、前記原稿搬送手段でテスト原稿を搬送させて前記テスト原稿の画像を読み取る動作を、位置を変えて複数回繰り返し、各位置で読み取った前記テスト原稿の画像濃度情報にもとづいて、前記ラインイメージセンサの適正な読み取り位置を判定し、その適正な読み取り位置を記憶し、実際に原稿の画像を読み取る際に、前記ラインイメージセンサを記憶している前記適正な読み取り位置に配置した後、前記原稿搬送手段で原稿を搬送して前記ラインイメージセンサにより原稿を読み取るように制御する画像読取装置。
【発明の効果】
【００１１】
本発明によれば、原稿を自動的に搬送して流し読みする際に、照明系の迷光が原因となる読み取り画像の副走査方向に発生する白スジなどの画像不良を防ぐことができ、廉価な読み取りデバイスにて信頼性の高い読み取りが実現可能となる。
【発明を実施するための最良の形態】
【００１２】
以下本発明を実施するための最良の形態を実施例により詳しく説明する。
【実施例】
【００１３】
図１は実施例１である“画像読取装置”（イメージスキャナともいう）の全体構成を示すブロック図である。
【００１４】
同図において、１０１は、シート状の原稿、１０２は、シート状の原稿１０１の表面を読み取るＣＩＳなどのラインイメージセンサで、読み取りデバイスである。１０３は、読み取りデバイス１０２に対向する面に配置された白色部材、１０４は、シート状の原稿１０１を連続的に搬送する原稿搬送手段、１０５は、読み取りデバイス１０２を副走査方向に移動させるための移動手段である。１０６は、前記画像読み取り部全体を制御する読み取り制御部で装置のバスに接続されている。
【００１５】
１０７は、読み取った画像情報をページ単位で蓄積する画像メモリ、１０８は、画像入力部１１６から出力された画像を一旦ためるためのＦＩＦＯの構成からなる画像バッファ、１０９は、読み取り制御部１０６を含む画像読取装置全体を制御するＣＰＵである。
【００１６】
１１０は、ＣＰＵ１０９が動作するためのプログラムが格納されているＲＯＭ、１１１は、ＣＰＵ１０９がアクセスするメモリである不揮発ＲＡＭ（Ｒａｎｄｏｍ  Ａｃｃｅｓｓ  Ｍｅｍｏｒｙ）である。１１２は、シート状の原稿１０１を連続的に搬送する搬送モーターである。
【００１７】
１１３は、読み取りデバイス１０２を副走査方向に連続的に移動させるための移動モーターでパルスモーターなどから構成される。１１４は、本画像読取装置の白基準を決めるためのシェーディング板、１１５は、本画像読取装置の操作部で読み取りスタートなどの起動ボタンを備える。１１６は、読み取りデバイス１０２から出力された画情報を入力する画像入力部である。
【００１８】
以上の構成により、本画像読取装置に原稿１０１をセットして、操作部１１５からスタートボタンを押下すると、読み取り制御部１０６は、スタートボタンが押されたことを検知する。
【００１９】
すると、読み取り制御部１０６は、読み取りデバイス１０２が実際に読み取り動作をする時の「読み取り位置」を不揮発ＲＡＭ１１１から読み出して、移動手段１０５に対して、動作の開始指示を出す。移動手段１０５は予定のパルス数を設定して移動モーター１１３を回転させ、読み取りデバイス１０２を設定された読み取り位置に移動させる。
【００２０】
またこの時に、読み取りデバイス１０２が、既に「読み取り位置」にある時は、移動手段１０５は何もしない。
【００２１】
さらに、読み取り制御部１０６は、原稿搬送手段１０４に対して読み取り動作の開始指示を出し、原稿搬送手段１０４は予定のパルス数を設定して搬送モーター１１２を回転させ原稿の搬送を開始して、実際の画像読み取り動作を開始させる。
【００２２】
読み取りデバイス１０２は、内部にＬＥＤアレイ、ロッドレンズアレイ、フォトセンサアレイ、フォトセンサからの出力信号を転送する回路を含んでいる。読み取りデバイス１０２は、ＬＥＤアレイによって原稿１０１の画像面を照射し、原稿１０１の濃度差に対応する反射光をロッドレンズアレイによってフォトセンサアレイに集光し画像として形成する。そして、フォトセンサアレイから出力された画像信号を画像入力部１１６に、シリアルデータとして転送する。
【００２３】
画像入力部１１６は、前記画像信号を、画像バッファ１０８に画像データ１ライン分のシリアルデータとして出力し、画像バッファ１０８は、前記画像信号を、本画像読取装置のバスを介して、画像メモリ１０７に随時格納する。その後、原稿１０１が、読み取りデバイス１０２を通過して排出されると、原稿搬送手段１０４は搬送モーター１１２を停止させ、１ページの原稿読み取り動作が完了する。最終的には、読み取った画像は、画像メモリ１０７にページ単位で蓄積される。
【００２４】
図２は本実施例の画像読取装置の全体機構を示す図である。
【００２５】
同図において、１０１は、たとえば、本画像読取装置にセットされる濃度が均一なテスト用のシート状の原稿、１０２は、原稿１０１を読み取る読み取りデバイスでラインイメージセンサなど（ＣＩＳ）であり副走査方向に移動できる。
２０３は、原稿１０１を押さえつけて搬送させるための透明のシート状部材（以下透明のシート材という）、１０３は、読み取りデバイス１０２に対向する面に透明のシート材２０３を挟んだ位置に配置された白色部材である。すなわち、透明のシート材、原稿および白色部材が順次配置される。
【００２６】
２０５は、原稿１０１を搬送させるための搬送ローラ、１１４は、本画像読取装置の白基準を決めるためのシェーディング板、２０７は、読み取りデバイス１０２と原稿に挟まれたブックタイプの原稿を搭載するための原稿台ガラスである。
【００２７】
１１２は、搬送ローラ２０５を駆動して回転させるための搬送モーター、１１３は、読み取りデバイス１０２を副走査方向に移動させるための移動モーターである。２１０は、移動モーター１１３の回転運動を直進運動に変換させて、読み取りデバイス１０２を副走査方向に移動させるためのガイドシャフト（センサ移動手段）である。２１１は、読み取りデバイス１０２が電源投入時など初期状態での位置で、ホームポジション：Ａ１を示す。
【００２８】
２１２は、読み取りデバイス１０２が移動可能なステップ位置において、ホームポジション２１１から最大離れた位置：ＡＮでポジションＮを示している。
【００２９】
２１３は、原稿１０１のサイズを検知するフォトインタラプタから構成される原稿サイズ検知部である。本実施例の場合は、Ａ４固定の原稿であり、本実施例の原稿サイズ検知部は、フォトインタラプタにて、原稿の「有り・無し」を検知しているだけである。
【００３０】
以上の構成において通常の画像読み取り動作は、次のとおりである。
本画像読取装置に、原稿１０１がセットされると、原稿サイズ検知部２１３にて原稿の有り・無し検知する。本実施例では原稿のサイズはＡ４サイズ固定である。
【００３１】
ここで原稿１０１を検知すると、読み取りデバイス１０２が、ホームポジション２１１から実際に読み取り動作をする時の「読み取り位置」、ここでは、ポジション＝Ｎ（２１２）に移動する。このため、移動モーター１１３は所定のパルス数だけ回転し、結果的にガイドシャフト２１０はモーターの回転運動を直進運動に変換させることで、読み取りデバイス１０２を設定された「読み取り位置」２１２に移動させる。この時に、読み取りデバイス１０２が、既に「読み取り位置」２１２にある時は、移動モーター１１３は回転せず、読み取りデバイス１０２を移動させない。
【００３２】
そして、次に、搬送モーター１１２を回転させ搬送ローラ２０５を回転させて、原稿１０１を読み取りデバイス１０２の位置まで搬送させてから画像読み取り動作を開始させる。
【００３３】
前記読み取りデバイス１０２は、白色部材１０３に対向する位置に配置され、内部にＬＥＤアレイ、ロッドレンズアレイ、フォトセンサアレイ、フォトセンサからの出力信号を転送する回路を含んでいる。また副走査方向対しては、移動モーター１１３の回転駆動力を、ガイドシャフト２１０を介して直進駆動力に変換して移動できる。そのホームポジション２１１は、白色部材１０３に対面して、原稿１０１の搬入部に近い位置である。スッテップ位置はＡ１である。また読み取り位置２１２は、副走査方向に対して原稿１０１の排紙部の方向にポジション＝Ｎ（２１２）まで移動可能である。スッテップ位置はＡＮである。また移動はステップ動作で、ステップの数がＮの時は、各スッテップ位置は、Ａ１〜ＡＮとなっている。実際の画像読み取り時には、読み取りデバイス１０２を所定のステップ位置に移動してから読み取り動作を開始する。
【００３４】
原稿１０１が、搬送ローラ２０５により読み取り動作をしながら搬送されて、読み取りデバイス１０２の位置を通過して排紙されると、搬送モーター１１２を停止させて１ページの原稿読み取り動作が完了する。そして、読み取りデバイス１０２は移動モーター１１３により再び、ホームポジション２１１に戻される。
【００３５】
次に、読み取りデバイス１０２を、実際の読み取り時に副走査方向に画像不良を発生させない読み取り位置２１２、つまり所定のステップ位置に移動させる動作について説明する。
【００３６】
まず、前述の構成によるテスト用の原稿の読み取り動作を、図３に示すフローチャートにより説明する。このフローチャートの処理は、ＣＰＵ１０９により行われる。
スタートのステップ３０１（以下Ｓ３０１のように略記する）：本画像読取装置において、テスト用の濃度が均一な原稿１０１がセットされると、原稿サイズ検知部２１３にて前記原稿１０１の有り・無しを検知する。Ｓ３０２：ここでテスト用の原稿１０１は、Ａ４サイズなので、原稿長さ２９７ｍｍが検知される。
【００３７】
Ｓ３０３：原稿１０１の副走査の長さＬの値をセットする。さらに原稿読取装置が備えている読み取りデバイス１０２が副走査に移動可能な読み取りステップ位置の数：Ｎから、各ステップ位置での連続で読み取る原稿の割合（読み取り範囲）：Ｌ／Ｎを設定する。
【００３８】
この時、Ａ４サイズの縦サイズは、２９７ｍｍなので、Ｎ＝８とすると、Ｌ／Ｎ＝２９７／８＝３７．１２５ｍｍとなる。そこで、読み取りデバイス１０２は各ステップ位置にてＡ４サイズの原稿の縦サイズをそれぞれ約３７ｍｍずつ読み取りながら８回移動していくことになる。
【００３９】
Ｓ３０４：移動モーター１１３を回転させて、読み取りデバイス１０２を読み取り時のホームポジション２１１：Ａ１に移動させる。この時、実際の読み取り動作は、ポジションＡ１〜ＡＮで行われ、Ａ１はその先頭である。
【００４０】
Ｓ３０５：ここで、搬送モーター１１２を回転させることで搬送ローラ２０５を回転させて、原稿１０１を１ステップ搬送させる。そして読み取りデバイス１０２にて原稿１０１の面を１ライン分読み取る。この動作を繰り返し行う。
【００４１】
Ｓ３０６：読み取りデバイス１０２で読み取った、原稿１０１の読み取り範囲が、先に設定した読み取り範囲（Ｌ／Ｎ）になるまで読み取り動作を継続させる。
【００４２】
Ｓ３０７：ここで読み取り範囲（Ｌ／Ｎ）の読み取り動作が完了すると、搬送モーター１１２の回転を停止させ原稿１０１をストップさせてから、ステップ位置数Ｎを１減算する。つまり：Ｎ←Ｎ−１
【００４３】
Ｓ３０８：もし、ここで、Ｎ←Ｎ−１の値がゼロになると、読み取りデバイス１０２は、設定された全てのステップ位置（Ａ１〜ＡＮ）での、読み取り動作が完了する（位置を変えて複数回繰り返し読み取る）。すなわち、原稿１０１の１枚分の読み取りが完了したので終了となる。
【００４４】
Ｓ３０９：またＳ３０８で、変数Ｎがゼロでない時は、設定された全てのステップ位置（Ａ１〜ＡＮ）での、読み取り動作が完了していないので、読み取りデバイス１０２の読み取りステップ位置を１だけ進める。具体的には移動モーター１１３を回転させて、読み取りデバイス１０２をＡ←Ａ＋１のステップ位置まですなわち原稿１０１の排紙方向に１ステップ位置だけ移動させる。そして、Ｓ３０５に戻り、同様に先に設定した読み取り範囲（Ｌ／Ｎ）の読み取り動作を継続させる。
【００４５】
次に、図４により実際に読み取った画像サンプルの説明をする。
サンプル画像において、読み取りデバイス１０２の読み取りステップ位置数は、Ｎ＝８である。よって、原稿１０１の副走査方向の長さをＬとすると、読み取りデバイス１０２の各ステップ位置での副走査方向の読み取り長は、Ｌ／Ｎ＝Ｌ／８となる。ここで、Ｌは原稿１０１の副走査方向の最大長である。
【００４６】
Ａ４サイズの縦サイズは、２９７ｍｍなので、Ｎ＝８とすると、Ｌ／Ｎ＝２９７／８＝３７．１２５ｍｍとなり、読み取りデバイス１０２は各ステップ位置にてＡ４サイズの原稿の縦サイズをそれぞれ約３７ｍｍずつ読み取りながら８回移動していくことになる。また、読み取りデバイス１０２の読み取り時の各ステップ位置：Ａは、Ａ１〜Ａ８となる。つまり原稿を副走査方向に８ブロックに分割してそれぞれを読み取ることになる。
【００４７】
そして、その各ブロック内の濃度を測定して、読み取りデバイス１０２の適正な読み取りステップ位置を判定するわけである。
【００４８】
図２の全体機構図からも分るように、読み取りデバイス１０２と白色部材１０３に挟まれた透明のシート材２０３は、読み取り面に対して湾曲している。そのため、読み取りデバイス１０２が、各ステップ位置：Ａで、Ａ１〜Ａ８まで副走査方向に移動すると、透明のシート材２０３との相対角度により、透明シートの透過率が減少し、その光量は減衰する。さらに、そのステップ位置によっては、拡散光が減少するばかりか、透明のシート材２０３からの正反射が極端に強くなり、副走査方向に対して極端に濃度の薄い部分が発生し、結果的に副走査方向に対する白スジとなることもある。
【００４９】
具体的には、図６と図７の構成にて詳細に説明する。
【００５０】
図６において、１０１は、本画像読取装置にセットされる濃度が均一なテスト用のシート状の原稿、１０２は、原稿１０１を読み取る読み取りデバイスでラインイメージサンサー（ＣＩＳ）であり副走査方向に移動できる。
【００５１】
２０３は、原稿１０１を押さえつけて搬送させるための透明のシート材、１０３は、読み取りデバイス１０２に対向する面に透明のシート材２０３を挟んだ位置に配置された白色部材、２０５は、原稿１０１を搬送させるための搬送ローラである。
【００５２】
６１４は、読み取りデバイス１０２のＬＥＤ光源から原稿１０１への入射光、６１５は、原稿１０１から読み取りデバイス１０２のイメージセンサ部への反射光で、本実施例では、拡散光となる。
【００５３】
６１６は、読み取りデバイス１０２のＬＥＤ光源から原稿１０１へ届く前に、透明のシート材２０３の表面で正規反射した迷光である。
【００５４】
図７において、７０１は、読み取りデバイス１０２のＬＥＤ光源から原稿１０１への入射光が原稿１０１の表面で反射しイメージセンサ部へ入射する光、いわゆる拡散光６１５を、イメージセンサ部で受光して光電変換した出力信号レベルである。
【００５５】
また、読み取りデバイス１０２のＬＥＤ光源から原稿１０１への入射光が、原稿１０１の表面で反射する前に途中の透明のシート材２０３の表面で反射しイメージセンサ部へ入射する光、いわゆる迷光６１６がある。７０２は、この迷光６１６をイメージセンサ部で受光して光電変換した迷光信号レベルである。
【００５６】
７０３は、先の出力信号レベル７０１と迷光信号レベル７０２が合計された、いわゆる、迷光の影響が発生した時の、実際に読み取りデバイス１０２で読み取る合計した加算信号レベルである。
【００５７】
７０４は、先の加算信号レベル７０３の特異点が白スジになる箇所を示している。
【００５８】
図７に示すように、読み取りデバイス１０２の副走査方向の位置によっては、透明のシート材２０３との相対的な位置が変動して、その入射光６１４との相対角度によっては、正規反射光が増大して迷光６１６の原因となる。その時、原稿１０１の面で反射した拡散光６１５、いわゆる画情報にこれが加算されて、結果的に白レベルが増大する。また、透明のシート材２０３は、副走査方向に微小ではあるが凸凹しており、これが原因で、先の迷光６１６の発生が頻繁になる。
【００５９】
そして、読み取りデバイス１０２は、この迷光６１６が加算された加算信号レベル７０３を受光して光電変換して、加算信号レベル７０３を出力するので、結果的に、白スジ７０４が発生する。また、読み取り動作は、副走査方向にライン単位で実施されるために、副走査方向に、白スジとなって表れる。
【００６０】
そこで、読み取りデバイス１０２を副走査方向に移動させて、読み取りデバイス１０２からの入射光６１４と透明のシート材２０３との相対角度が迷光の影響の少ない角度になるような位置に読み取りデバイス１０２を移動する。その結果的に読み取り画情報の白スジは防ぐことができる。
【００６１】
次に、前述の構成において、図５に示すフローチャートにより濃度判定の処理を説明する。また本動作は、工場の工程モードで実施するが、市場で、装置の重要部品、つまり透明のシート材２０３や読み取りデバイス１０２などを交換した時のサービスモードにおいても実施する。
【００６２】
具体的には、濃度が均一なテスト用の原稿１０１を使って、読み取りデバイス１０２を移動させながら画像を読み取り、読み取った画像を装置内の画像メモリ１０７に格納し、その濃度差から迷光６１６が発生しない読み取りデバイス１０２の位置を解析する。そして迷光６１６が発生しない読み取りデバイス１０２の位置を特定する。そして、その位置情報を装置内の不揮発ＲＡＭ１１１に格納し、読み取りデバイス１０２をそのホームポジション２１１に自動的に移動させる。実際の画像読み取り動作は、毎回その不揮発ＲＡＭ１１１から呼び出した位置情報を基に、読み取りデバイス１０２を移動してから開始する。
【００６３】
適正な読み取り位置を決定する動作は以下のとおりである。
【００６４】
Ｓ５１１：画像読取装置が備えている読み取りデバイス１０２が副走査に移動可能な読み取りステップ位置の数：Ｎから、原稿１０１の副走査方向に分割する数はＮとなる。そこで、その分割された各ブロックを表す変数ｎ（１〜８）に１を入れる。
【００６５】
Ｓ５１２：読み取りデバイス１０２、の各読み取りステップ位置：Ａｎ（Ａ１〜Ａ８）での読み取り画像の各ブロックの濃度：Ｄｎ（Ｄ１〜Ｄ８）をそれぞれ求める（テスト原稿の画像濃度情報を求める）。このとき、各ブロックの濃度に関して、それぞれ、平均：Ａｖｅ／最大：Ｍａｘ／最小：Ｍｉｎを演算する。
【００６６】
Ｓ５１３：変数がｎの時の濃度をそれぞれ演算した平均：Ａｖｅ／最大：Ｍａｘ／最小：Ｍｉｎの各値をメモリ：Ｍｎに格納する。
【００６７】
Ｓ５１４：ここで変数：ｎに１を加算する。
【００６８】
Ｓ５１５：変数：ｎが副走査の分割数：Ｎと同じになったかどうか？つまり原稿１０１の全てのブロックの濃度：平均：Ａｖｅ／最大：Ｍａｘ／最小：Ｍｉｎの各値をメモリ：Ｍｎに格納に格納したら、
Ｓ５１６：読み取り画像の各ブロックの濃度：Ｄｎ（Ｄ１〜Ｄ８）に対して、平均：Ａｖｅを比較して、大きい方の値をメモリ：Ｍｎに格納する。
【００６９】
Ｓ５１７：Ｓ５１６でメモリ：Ｍｍに格納された平均：Ａｖｅの最大値と、読み取り画像の各ブロックの濃度：Ｄｎ（Ｄ１〜Ｄ８）にもとづいて次の処理を行う。平均：Ａｖｅと最大：Ｍａｘの差（Ａｖｅ−Ｍａｘ）と、平均：Ａｖｅと最小：Ｍｉｎの差（Ａｖｅ−Ｍｉｎ）を比較して、大きい方の値を同様にメモリ：Ｍｎに格納する。
【００７０】
Ｓ５１８：Ｍｎ（Ｍ１〜Ｍ８）の中から、各ブロックについて、平均濃度が最も大きくて、さらに、濃度の偏差の最も小さいブロックの変数ｎをメモリ：Ｍｍｉｎに記憶する。本実施例の場合は、ｎ＝３、つまりＡ３となる（図４参照）。
【００７１】
Ｓ５１９：Ｓ５１８で設定された変数ｎ＝３のブロックに対応するステップ位置が、読み取りデバイス１０２の照明系のフレアが原因となり、副走査方向に対して極端に濃度の薄い部分が発生し、結果的に副走査方向に対する白スジとなることが最も少ない。
【００７２】
そこで、実際の原稿画像の読み取りの際に、読み取りデバイス１０２の読み取りスッテップ位置を、Ｍｍｉｎから読み出してＡｎに決定する。そして、移動モーター１１３を回転させて、読み取りデバイス１０２をＡｎの位置に移動させ、原稿を流し読みする。
【００７３】
以上説明したように、本実施例によれば、照明系のフレアが原因となる読み取り画像の副走査方向に発生する白スジなどの画像不良を防ぐことができる。
【図面の簡単な説明】
【００７４】
【図１】実施例１の画像読取装置の全体構成を示すブロック図
【図２】実施例１の機構を模式的に示す断面図
【図３】テスト用の原稿の読み取り動作を示すフローチャート
【図４】テスト用の原稿の読み取り画像を示す図
【図５】適正な原稿読取位置の決定の処理を示すフローチャート
【図６】迷光発生の説明図
【図７】迷光の影響を示す図
【符号の説明】
【００７５】
１０１      原稿
１０３      白色部材
１０９      ＣＰＵ
２０３      透明のシート材
２０５      搬送ローラ
２１０      ガイドシャフト
【図１】
2009038638.tif 000003
【図２】
2009038638.tif 000004
【図３】
2009038638.tif 000005
【図４】
2009038638.tif 000006
【図５】
2009038638.tif 000007
【図６】
2009038638.tif 000008
【図７】
2009038638.tif 000009